(57)【要約】【課題】狭いデッキフロア上に配置されるステアリングポストの側方のレバーの影響を受けることなく、能率良くデッキフロア上の作業が可能となる苗移植機を提供する。【解決手段】苗移植機は、作業用のデッキフロア６と、操舵操作用のステアリングハンドル５を支持するステアリングポスト４と、このステアリングポスト４の側方で投入位置に応じて機器を動作させるレバー２９，３２と、機体後部に取付けた植付部７とを水田走行用の機体に備えて構成され、上記レバー２９，３２の投入動作範囲は、ステアリングポスト４の近傍で機体内方のステアリングハンドル５に近接する位置に投入が可能な収納用位置を含み、この収納用位置は機体停車操作に応じてレバー２９，３２を強制投入可能に構成したものである。【選択図】図４
2007319145.tif 000002
【特許請求の範囲】
【請求項１】
作業用のデッキフロア（６）と、操舵操作用のステアリングハンドル（５）を支持するステアリングポスト（４）と、このステアリングポスト（４）の側方で投入位置に応じて機器を動作させるレバー（２９，３２）と、機体後部に取付けた植付部（７）とを水田走行用の機体に備えた苗移植機において、
上記レバー（２９，３２）の投入動作範囲は、ステアリングポスト（４）の近傍で機体内方のステアリングハンドル（５）に近接する位置に投入が可能な収納用位置を含み、この収納用位置は機体停車操作に応じてレバー（２９，３２）を強制投入可能に構成したことを特徴とする苗移植機。
【発明の詳細な説明】
【技術分野】
【０００１】
本発明は、作業用のデッキフロア上に操舵用のステアリングポストを備え、機体後部の植付部によって苗を移植する苗移植機に関するものである。
【背景技術】
【０００２】
水田作業車の一例である特許文献１に示す苗移植機は、作業用のデッキフロアと、操舵操作用のステアリングポストと、機体後部に取付けた植付部と、その他の機器を水田走行用の機体に備えて構成される。
上記ステアリングポストの左右の側方には、それぞれ、変速レバー、植付部の昇降用レバーが配置され、機体走行中にレバーの投入位置を操作することによって植付部の昇降および機体走行車速の調節をすることができる。
【特許文献１】特開２００３−５２２０７号公報
【発明の開示】
【発明が解決しようとする課題】
【０００３】
しかしながら、上記レバーは、操舵操作との干渉を避けるために、ステアリングポストの左右の側方の狭いデッキフロア上に飛び出すように配置されていることから、オペレータがデッキフロアを移動する際にはレバーが邪魔になって作業能率の低下を招くという問題があった。
【０００４】
本発明の目的は、狭いデッキフロア上に配置されるステアリングポストの側方のレバーの影響を受けることなく、能率良くデッキフロア上の作業が可能となる苗移植機を提供することにある。
【課題を解決するための手段】
【０００５】
請求項１に係る発明は、作業用のデッキフロアと、操舵操作用のステアリングハンドルを支持するステアリングポストと、このステアリングポスト側方で投入位置に応じて機器を動作させるレバーと、機体後部に取付けた植付部とを水田走行用の機体に備えた苗移植機において、上記レバーの投入動作範囲は、ステアリングポストの近傍で機体内方のステアリングハンドルに近接する位置に投入が可能な収納用位置を含み、この収納用位置は機体停車操作に応じてレバーを強制投入可能に構成したことを特徴とする。
【０００６】
請求項１の構成により、作業走行中は、ステアリングポスト側方のレバーの操作の投入位置に応じて対応の機器が動作し、また、オペレータが機体を停車操作した時は、レバーが収納用位置に強制投入されてステアリングポストに近接した位置に保持され、デッキフロアが広く確保される。
【発明の効果】
【０００７】
上記苗移植機は、機体の停車操作時は、レバーが収納用位置に強制投入されてデッキフロアが広く確保されることから、デッキ作業に際してレバーを除ける手間を要することなく、能率良く作業を進めることができる。
【発明を実施するための最良の形態】
【０００８】
この発明の一実施例である４条植え乗用型苗移植機について説明する。
乗用苗移植機の側面図および平面図をそれぞれ図１、図２に示す。
水田走行可能な機体１の前後には走行車輪としての左右一対の前輪２、２及び後輪３、３が架設されている。車体上前部に各種操作部をステアリングポストに集約構成した操作ボックス４及びステアリングハンドル５等を有する操縦装置がデッキフロア６上に設けられ、車体後方部には昇降可能に植付部７が装着されている。操作ボックス４の後側に運転席８が設けられ、運転席８の下側に田植機の各部に動力を供給するエンジン９が搭載されている。また、デッキフロア６の後方部分は後輪３のフェンダーカバーを兼ねている。なお、本明細書では乗用田植機の前進側に向かって左方向、右方向をそれぞれ左側、右側という。
【０００９】
植付部７は、左右に往復動する苗載タンク１０、一株分の苗を切取って土中に植込む植付装置１１、苗植付面を整地するフロート１２等からなる。エンジン９の駆動により、エンジン出カプーリ１３、伝動ベルト１４ｂ及びミッション入力プーリ１５を介して入力軸（図示せず）へ伝動し、該入力軸によりミッションケース１７内へ動力を伝達する構成である。
【００１０】
ミッションケース１７から左右方向に突設する前輪アクスルケース（不図示）を介して左右前輪駆動ケース１９内へ伝動し、前輪車軸２０を回転駆動して左右の前輪２、２を駆動するようになっている。また、該ミッションケース１７の後部から後方に動力を伝達する左右の後輪伝動軸２１を設け、該左右の後輪伝動軸２１の駆動により左右それぞれの後輪伝動ケース２２内に伝動し、後輪車軸２３を回転駆動して左右の後輪３、３を駆動するようになっている。
【００１１】
なお、植付部７は、油圧昇降シリンダ２４の伸縮による昇降リンク機構２５の上下回動により、上下方向に昇降するよう設けられている。また、植付部７は、前記ミッションケース１７からの動力により、該ケース１７から後方へ延びる植付伝動軸２６により伝動されて作動する構成となっている。
【００１２】
ステアリングハンドル５は、これの回動操作によりステアリング軸２７及び図示しないピットマンアームとタイロッド等を介して左右の前輪２、２を操向させ操舵するようになっている。ステアリングハンドル５の左側には主変速レバー２９を、右側にはスロットルレバー３０を設けている。また、操作ボックス４の左側部には機体の走行及び植付部７の駆動の停止操作を行う停止レバー３１を、右側部には植付部７の昇降及び駆動の入切が行える植付・昇降レバー３２（図２）を設けている。
【００１３】
車体１前部の左側寄り位置には主クラッチペダル３３（図２）を設けている。この主クラッチペダル３３の踏み込み操作により機体の走行及び植付部７の駆動を停止するように構成している。また、車体１前部の右側寄り位置にはブレーキ操作具（以下ブレーキペダルという）３４（図２）を設けている。このブレーキペダル３４は、該ペダル３４の踏み込み操作で図示しない連結機構を介してミッションケース１７内の４輪ブレーキ装置（図示せず）を作動させて左右の前後輪２、３を制動するように構成している。なお、主クラッチペダル３３を省略して、ブレーキペダル３４の踏み込み操作にて主クラッチが同時に切れる構成にしても良い。
【００１４】
上記主変速レバー２９、植付・昇降レバー３２の支持構成について詳細に説明すると、ステアリングポスト部の正面透視図および側面透視図を図３、図４にそれぞれ示すように、主変速レバー２９および植付・昇降レバー３２は、車幅方向の横支軸４１によって機体の前後方向の傾動動作が可能に軸支するとともに、両レバー２９、３２の基部に機体の前後方向の支軸２９ｂ、３２ｂを形成し、それを横支軸４１の両端位置に取付けた軸支持部２９ｓ，３２ｓにより機体内方のステアリングポスト４の近傍でステアリングハンドル５に近接する収納位置まで内傾動作可能にトルクスプリング等により付勢して軸支する。
【００１５】
また、両レバー２９、３２をブレーキペダル３４の操作に応じてそれぞれの中立位置に戻すケーブル２９ｃ、３２ｃを連結し、それぞれの投入動作範囲を規定するレバーガイド２９ｇ、３２ｇを取付ける。主変速レバー２９のレバーガイド２９ｇは、中立位置Ｎから機体前方に前進Ｆ側、機体後方に後進Ｒ側を形成し、かつ、中立位置Ｎからステアリングポスト４側に収納用位置Ｓを配置する。同様に、植付・昇降レバー３２のレバーガイド３２ｇは、その中立位置Ｎからステアリングポスト４側に収納用位置Ｓを配置する。
【００１６】
上記構成の主変速レバー２９、植付・昇降レバー３２により、作業走行中は、主変速レバー２９の傾動操作によって走行速度を調節し、また、植付・昇降レバー３２の傾動操作によって植付部７の昇降調節を行い、走行を停止する際は、ブレーキペダル３４の操作とともに両レバー２９、３２がケーブル２９ｃ、３２ｃを介してそれぞれ中立位置Ｎ，Ｎに戻されるとともに、それぞれの付勢トルクによって収納用位置Ｓ、Ｓに投入され、機体内方のステアリングポスト４の近傍の収納位置まで内傾動作することにより、デッキフロアが広く確保される。
【００１７】
このように、上記レバー支持構成により、機体走行中はステアリングポスト４の側方部のレバー２９、３２の操作を介して機器の動作制御をすることができるとともに、停車時は、同レバー２９、３２がそれぞれ収納位置に保持されることから、デッキフロアが広く確保されて能率良く作業を進めることができる。なお、上記両レバーガイド２９ｇ、３２ｇの支持構造につき、それぞれの下端部を横支軸４１に支持することにより、支持剛性を向上できるとともに、構成部品の簡略化を図ることができる。
【００１８】
次に、操作レバーのリンク機構について説明する。
植付・昇降レバー３２には、その要部側面透視図および正面透視図をそれぞれ図５，図６に示すように、同レバー３２の基部と連結して前後に揺動可能なカムプレート３２ｐを設け、このカムプレート３２ｐには機体の後退動作と連動して植付部７を上昇するオートリフト制御機構を構成し、さらに、ピットマンアーム５１と植付アームローラ５２間にオートリフト入切フック５３、二股のオートリフトケーブル５４を介設する。
【００１９】
上記構成のオートリフト制御機構は、ピットマンアーム５１の差動角を利用して一定の操舵操作に伴う操舵ハンドル５の切角と対応したオートリフト動作が可能なる。上記オートリフトケーブル５４は、１本の二股ケーブルにより低コストでオートリフト入切制御機構を構成することができる。また、オートリフトレバー５５によりオートリフト入切フック５３を解除可能に構成することにより、オートリフトケーブル５４を緩ませてオートリフトを切状態に切換えることができる。
【００２０】
主変速レバー２９のリンク機構については、その要部側面透視図および正面透視図をそれぞれ図７，図８に示すように、同レバー２９とオートリターンロッド６１の一端をケーブル６２で連結し、回動支点６１ｓを中心に反対動作するオートリターンロッド６１の他端部で油圧プレート６３を押すようにリンク機構を構成する。この油圧プレート６３によって油圧アーム６４をカム６５部分より外すことにより、主変速レバー２９のオートリターンが可能ととなり、また、非オートリターン位置においては、ケーブル６２の屈曲によってレバーの作動が吸収される。このようにして、主変速レバー２９のオートリターン機構を簡易に構成することができる。
【００２１】
次に、図９のトランスミッションの要部軸線展開図に示すように、植付速と移動速とを切換える副変速部を複数機種に共用する場合の構成について、一方の伝動系７１を共通のギヤー比とし、他方の伝動系７２のギヤー比を機種別に構成した例である。このように、ギヤ構成を共用することにより、型費（鍛造）の削減、部品管理費の削減を図ることができる。
【００２２】
次に、苗枠装置の構成例を図１０の平面図（ａ）と背面図（ｂ）によって示すように、Ｌ字形パイプ８１と直パイプ８２とを組み合わせることにより、苗箱を受ける苗枠を構成する。具体的には、直パイプ８２を支柱として起立し、その上部にＬ字形パイプ８１の水平部を車幅方向にスライド可能に支持し、Ｒピン等のピン固定により取外し容易に苗枠装置を構成する。
【００２３】
この苗枠装置は、Ｌ字形パイプ８１に苗箱を受けるための複数段の横フレーム８３，８３を取り付けることにより、そのままスライドすれば車幅方向寸法を小さく収納することができるので、従来の構成部品が複雑で部品点数が多い回転収納式のもに比較して、部品点数を減らし、なおかつ、同様の機能を持たせることができる。
【図面の簡単な説明】
【００２４】
【図１】本実施例の苗移植機の側面図である。
【図２】図１の苗移植機の平面図である。
【図３】ステアリングポスト部の正面透視図である。
【図４】ステアリングポスト部の側面透視図である。
【図５】植付・昇降レバー支持部の要部側面透視図である。
【図６】図５の支持部の正面透視図である。
【図７】主変速レバー支持部の要部側面透視図である。
【図８】図７の支持部の正面透視図である。
【図９】副変速部の要部軸線展開図である。
【図１０】苗枠装置の平面図（ａ）と背面図（ｂ）である。
【符号の説明】
【００２５】
１   機体
２   前輪
３   後輪
４   操作ボックス（ステアリングポスト）
５   ステアリングハンドル
６   デッキフロア
７   植付部
８   運転席
１７   ミッションケース
２５   昇降リンク機構
２９   主変速レバー
２９ｂ  支軸
２９ｇ  レバーガイド
３０   スロットルレバー
３１   停止レバー
３２   植付・昇降レバー
３２ｂ  支軸
３２ｇ  レバーガイド
３３   主クラッチペダル
３４   ブレーキペダル
４１   横支軸
Ｎ   中立位置
Ｓ   収納用位置
【図１】
2007319145.tif 000003
【図２】
2007319145.tif 000004
【図３】
2007319145.tif 000005
【図４】
2007319145.tif 000006
【図５】
2007319145.tif 000007
【図６】
2007319145.tif 000008
【図７】
2007319145.tif 000009
【図８】
2007319145.tif 000010
【図９】
2007319145.tif 000011
【図１０】
2007319145.tif 000012